(57)【要約】【課題】調光器で位相制御された交流電圧を利用して調色することができる照明装置及び照明システムを提供する。【解決手段】位相制御された交流電圧がゼロの時間では、フォトカップラ３３４のフォトトランジスタがオフとなり、制御回路３５には電圧が入力される。交流電圧がゼロではない場合、抵抗３３１を介してフォトカップラ３３４のフォトダイオードに電流が流れるため、フォトカップラ３３４のフォトトランジスタはオンとなり、制御回路３５には電圧が入力されない。制御回路３５は、位相制御された交流電圧の導通角θに応じて、ＬＥＤモジュール４２、４３をそれぞれ異なるタイミングで点灯制御する。例えば、位相制御された交流電圧が存在する時間に対応させてＬＥＤモジュール４２を点灯させ、位相制御された交流電圧が存在しない（ゼロ）時間に対応させてＬＥＤモジュール４３を点灯させることができる。【選択図】図６
2011108597.tif 000002
【特許請求の範囲】
【請求項１】
色度の異なる複数の光源と、
位相制御された交流電圧の導通角に応じて、前記色度の異なる光源毎に異なるタイミングで点灯制御する制御部と
を備えることを特徴とする照明装置。
【請求項２】
導通角に応じて時間長が延長及び短縮するそれぞれの制御信号を生成する信号生成部を備え、
前記制御部は、
前記信号生成部で生成した各制御信号に基づいて、前記色度の異なる光源毎に点灯制御するようにしてあることを特徴とする請求項１に記載の照明装置。
【請求項３】
前記信号生成部は、
導通角に応じた時間長の第１の制御信号を生成する第１の信号生成部と、
前記第１の制御信号と異なるタイミングで点灯制御するための第２の制御信号を生成する第２の信号生成部と
を備え、
前記制御部は、
前記第１の制御信号に基づいて一の色度の光源を点灯制御し、前記第２の制御信号に基づいて前記一の色度と異なる色度の光源を点灯制御するようにしてあることを特徴とする請求項２に記載の照明装置。
【請求項４】
前記第２の制御信号は、前記第１の制御信号と時間長を相補することを特徴とする請求項３に記載の照明装置。
【請求項５】
導通角に対応させて複数の時間パラメータを記憶する記憶部と、
前記各時間パラメータに応じた複数の制御信号を生成する信号生成部と、
導通角を検出する検出部と
を備え、
前記信号生成部は、
前記検出部で検出した導通角に対応する各時間パラメータに応じた制御信号を複数生成するようにしてあり、
前記制御部は、
前記信号生成部で生成した各制御信号に基づいて、前記色度の異なる光源毎に点灯制御するようにしてあることを特徴とする請求項１に記載の照明装置。
【請求項６】
請求項１から請求項５までのいずれか１項に記載の照明装置と、
導通角を設定する操作を受け付ける操作部を有し、入力された交流電圧を設定された導通角で位相制御された交流電圧に変換して出力する位相制御器と
を備え、
設定された導通角に応じて調色するようにしてあることを特徴とする照明システム。
【発明の詳細な説明】
【技術分野】
【０００１】
本発明は、発光ダイオードなどの光源を有する照明装置に関し、特に位相制御された交流電圧を用いる照明装置及び該照明装置を備える照明システムに関する。
【背景技術】
【０００２】
近年、発光ダイオード（ＬＥＤ）を光源とする照明装置が様々な用途向けに開発されており、白熱電球や蛍光灯等の従来の光源を用いた照明装置に対する置換えが行われつつある。従来、白熱電球を用いた照明装置に調光器等で位相制御された交流電圧を印加して、白熱電球を調光することができる照明装置が実用化されている。
【０００３】
また、発光ダイオードやランプなどの負荷を位相制御するための電源開閉素子を負荷に対して直列に介挿し、位相制御された交流電圧に応じて調光することができる調光装置が開示されている（特許文献１参照）。
【先行技術文献】
【特許文献】
【０００４】
【特許文献１】特開２００９−１５８１７３号公報
【発明の概要】
【発明が解決しようとする課題】
【０００５】
しかしながら、特許文献１の調光装置にあっては、発光ダイオードを調光することはできるものの、発光色を変えることができなかった。また、時間帯や部屋の使用状況などに応じて利用者が調光器等を操作して調光することができる照明装置は実用化されていたが、調光器を用いて発光色を変えることができる照明装置はなく、利用者の好みに応じて調色をすることができる照明装置が望まれていた。
【０００６】
本発明は斯かる事情に鑑みてなされたものであり、調光器で位相制御された交流電圧を利用して調色することができる照明装置及び該照明装置を備える照明システムを提供することを目的とする。
【課題を解決するための手段】
【０００７】
本発明に係る照明装置は、色度の異なる複数の光源と、位相制御された交流電圧の導通角に応じて、前記色度の異なる光源毎に異なるタイミングで点灯制御する制御部とを備えることを特徴とする。
【０００８】
本発明にあっては、制御部は、位相制御された交流電圧の導通角に応じて、色度の異なる光源毎に異なるタイミングで点灯制御する。例えば、色度の異なる光源は、昼白色、電球色、白色、昼光色などのＬＥＤである。例えば、昼白色のＬＥＤと電球色のＬＥＤを用いる場合、位相制御された交流電圧が存在する時間に対応させて昼白色のＬＥＤを点灯させ、位相制御された交流電圧が存在しない（ゼロ）時間に対応させて電球色のＬＥＤを点灯させることができる。これにより、調光器を操作することにより調光器から出力される位相制御された交流電圧の導通角に応じて色度の異なるＬＥＤの点灯タイミングを変えることができ、利用者の好みに応じて調色をすることができる。なお、色度の異なる光源（例えば、ＬＥＤ）の種類は２つに限定されない。
【０００９】
本発明に係る照明装置は、導通角に応じて時間長が延長及び短縮するそれぞれの制御信号を生成する信号生成部を備え、前記制御部は、前記信号生成部で生成した各制御信号に基づいて、前記色度の異なる光源毎に点灯制御するようにしてあることを特徴とする。
【００１０】
本発明にあっては、信号生成部は、導通角に応じて時間長が延長及び短縮するそれぞれの制御信号を生成する。制御部は、信号生成部で生成した各制御信号に基づいて、色度の異なる光源（例えば、ＬＥＤ）毎に点灯制御する。例えば、導通角が大きくなるに応じて、時間長が短縮する制御信号により昼白色のＬＥＤの点灯時間を短くするとともに、時間長が延長する制御信号により電球色のＬＥＤの点灯時間を長くすることができる。これにより、調光器を操作することにより調光器から出力される位相制御された交流電圧の導通角に応じて色度の異なるＬＥＤの点灯時間を変えることができ、利用者の好みに応じて調色をすることができる。なお、色度の異なる光源（例えば、ＬＥＤ）の種類は２つに限定されない。
【００１１】
本発明に係る照明装置は、前記信号生成部は、導通角に応じた時間長の第１の制御信号を生成する第１の信号生成部と、前記第１の制御信号と異なるタイミングで点灯制御するための第２の制御信号を生成する第２の信号生成部とを備え、前記制御部は、前記第１の制御信号に基づいて一の色度の光源を点灯制御し、前記第２の制御信号に基づいて前記一の色度と異なる色度の光源を点灯制御するようにしてあることを特徴とする。
【００１２】
本発明にあっては、第１の信号生成部は、導通角に応じた時間長の第１の制御信号を生成し、第２の信号生成部は、第１の制御信号と異なるタイミングで点灯制御するための第２の制御信号を生成する。制御部は、第１の制御信号に基づいて一の色度の光源（例えば、ＬＥＤ）を点灯制御し、第２の制御信号に基づいて前記一の色度と異なる色度の光源（例えば、ＬＥＤ）を点灯制御する。これにより、照明装置からの光を調光することができる。
【００１３】
本発明に係る照明装置は、前記第２の制御信号は、前記第１の制御信号と時間長を相補することを特徴とする。
【００１４】
本発明にあっては、第２の制御信号は、第１の制御信号と時間長を相補する。第２の制御信号は、例えば、第１の制御信号を反転させた反転制御信号である。これにより、例えば、交流電圧の半周期に亘って、一方の光源（例えば、ＬＥＤ）が点灯している間は他方の光源（例えば、ＬＥＤ）を消灯させつつ、色度の異なるＬＥＤの点灯時間を導通角に応じて変更することができ、明るさを一様にしつつ調光することができる。
【００１５】
本発明に係る照明装置は、導通角に対応させて複数の時間パラメータを記憶する記憶部と、前記各時間パラメータに応じた複数の制御信号を生成する信号生成部と、導通角を検出する検出部とを備え、前記信号生成部は、前記検出部で検出した導通角に対応する各時間パラメータに応じた制御信号を複数生成するようにしてあり、前記制御部は、前記信号生成部で生成した各制御信号に基づいて、前記色度の異なる光源毎に点灯制御するようにしてあることを特徴とする。
【００１６】
本発明にあっては、導通角に対応させて複数の時間パラメータを記憶部に記憶しておく。信号生成部は、検出した導通角に対応する各時間パラメータに応じた複数の制御信号を生成する。例えば、導通角が１４１度〜１５０度である場合に、色度の異なる２つの光源（例えば、ＬＥＤ）の時間パラメータが、それぞれ７ｍｓｅｃ、３ｍｓｅｃであるとする。制御部は、信号生成部で生成した各制御信号に基づいて、色度の異なるＬＥＤ毎に点灯制御する。これにより、調光器を操作することにより調光器から出力される位相制御された交流電圧の導通角に応じて色度の異なるＬＥＤの点灯時間を変えることができ、利用者の好みに応じて調色をすることができる。なお、色度の異なるＬＥＤの種類は２つに限定されない。
【００１７】
本発明に係る照明システムは、前述の発明のいずれか１つに係る照明装置と、導通角を設定する操作を受け付ける操作部を有し、入力された交流電圧を設定された導通角で位相制御された交流電圧に変換して出力する位相制御器とを備え、設定された導通角に応じて調色するようにしてあることを特徴とする。
【００１８】
本発明にあっては、位相制御器（例えば、調光器）は、導通角を設定する操作を受け付ける操作部を有し、入力された交流電圧を設定された導通角で位相制御された交流電圧に変換して出力する。照明装置は、設定された導通角に応じて調色する。これにより、調光器を操作することにより調光器から出力される位相制御された交流電圧の導通角に応じて色度の異なるＬＥＤの点灯タイミングを変えることができ、利用者の好みに応じて調色をすることができる。
【発明の効果】
【００１９】
本発明によれば、調光器を操作することにより調光器から出力される位相制御された交流電圧の導通角に応じて色度の異なるＬＥＤの点灯タイミングを変えることができ、利用者の好みに応じて調色をすることができる。
【図面の簡単な説明】
【００２０】
【図１】本実施の形態の照明システムの構成の一例を示す模式図である。
【図２】本実施の形態の照明装置の外観図である。
【図３】本実施の形態の照明装置の要部分解斜視図である。
【図４】本実施の形態の照明装置の断面図である。
【図５】本実施の形態の光源モジュールの発光面の構造例を示す平面図である。
【図６】本実施の形態の電源部の構成を示すブロック図である。
【図７】本実施の形態の照明装置の調色の一例を示すタイムチャートである。
【図８】本実施の形態の照明装置の調色の一例を示すタイムチャートである。
【図９】ＬＥＤモジュールの点灯タイミングの一例を示すタイムチャートである。
【図１０】ＬＥＤモジュールの点灯タイミングの他の例を示すタイムチャートである。
【図１１】実施の形態２の時間パラメータの一例を示す説明図である。
【図１２】実施の形態３の電源部の要部構成を示すブロック図である。
【図１３】実施の形態３の時間パラメータの一例を示す説明図である。
【発明を実施するための最良の形態】
【００２１】
実施の形態１
以下、本発明をその実施の形態を示す図面に基づいて説明する。図１は本実施の形態の照明システムの構成の一例を示す模式図である。本実施の形態の照明システムは、１又は複数の照明装置１００、調光器２００などを備える。図１に示すように、商用電源には調光器２００を設けてあり、調光器２００の出力側の電源線には、複数の照明装置１００を接続してある。なお、後述するように、照明装置１００は、色度の異なるＬＥＤモジュールを内蔵した電球形状とすることにより、既存の電球に代えて、照明装置１００を置き換えることが可能である。
【００２２】
調光器２００は、トライアック又はサイリスタなどを備え、調光器２００の調光用のつまみ（操作部）を回すことにより、調光器２００は、入力された交流電圧を設定された導通角θで位相制御された交流電圧に変換して出力する。照明装置１００は、位相制御された交流電圧の導通角θに応じて発光色を変化する（調色する）ことができる。
【００２３】
図２は本実施の形態の照明装置１００の外観図であり、図３は本実施の形態の照明装置１００の要部分解斜視図であり、図４は本実施の形態の照明装置１００の断面図である。図２に示すように、照明装置１００は、４０Ｗ、６０Ｗなどの電球型をなすＬＥＤ電球であり、外観視において、外部のソケットに嵌めて商用電源に電気的に接続するための電源接続部としての口金１０、放熱部１３、口金１０と放熱部１３とを連結するための連結体１１、中空の略半球殻の透光部５０、後述するＬＥＤモジュールを載置し、放熱部１３と熱的に接続された円板状の放熱板２０などを備えている。
【００２４】
図３及び図４に示すように、放熱板２０には、基板４１の表面にＬＥＤモジュール４２、４３が実装された光源モジュール４０をねじ２１で取り付けてある。光源モジュール４０と放熱板２０との間は、熱伝導効率を向上させるために熱伝導シートや高熱伝導性の樹脂を塗布することにより、光源モジュール４０で発生した熱を放熱板２０、及び放熱部１３を介して外部へ放熱することができる。
【００２５】
放熱部１３は、例えば、アルミニウム等の軽量かつ熱伝導性の高い金属からなり、略円筒形状をしている。また、放熱部１３は、円筒の外周面に複数の放熱溝を有しており、光源モジュール４０から放熱部１３に伝達される熱は放熱溝を利用して外周面から外部の空気に放熱される。なお、放熱部１３と放熱板２０との間には、水分が内部に侵入しないように合成ゴム製の防水用パッキン１９を設けている。
【００２６】
放熱部１３は、内部に空洞が形成されており、放熱部１３の内部には、配線２２を介して光源モジュール４０のＬＥＤモジュール４２、４３へ所要の電力（電圧、電流）を供給するための電源部３０、電源部３０を収容する収容部１５などを配設してある。また、電源部３０と口金１０との間には、商用電源を電源部３０に供給するための電源線１７を設けている。
【００２７】
放熱部１３と連結体１１との間には、水分が内部に侵入しないように合成ゴム製の防水用リング材１２を設けてあり、放熱部１３と連結体１１は、ねじ１４により固定されている。
【００２８】
また、図４に示すように、収容部１５に収容された電源部３０の周囲には、電源部３０で発生した熱を放熱部１３及び口金１０へ効率よく熱伝導させるために、高伝導率の合成樹脂２５（例えば、ポリウレタン樹脂など）を充填してある。また、合成樹脂２５は、高い電気絶縁性、低い透水性、難燃性を有するものが好ましい。
【００２９】
合成樹脂２５は、放熱部１３内部の電気的配線が終了し、放熱部１３と口金１０が機械的に接合された状態で、放熱部１３の内部に充填する。なお、合成樹脂２５は、充填時には液体状をなす。合成樹脂２５を充填した後、所要の温度で硬化させる。硬化後の合成樹脂２５は、口金１０の内面と接着するとともに、放熱部１３の内面とも接着する。これにより、口金１０の接合部分からの水分の浸入を一層確実に防止することができる。
【００３０】
また、合成樹脂２５は、高い電気的絶縁性を有しているので、放熱部１３と電源部３０の充電部とが絶縁破壊して短絡することを確実に防止することができる。また、合成樹脂３０は、高熱伝導率を有しているので、電源部３０で発生した熱は、放熱部１３のみならず、合成樹脂２５を介して熱的に接続された口金１０からも放熱されるので、電源部３０の温度上昇を抑制して、電源部３０で使用されている電気部品の信頼性を向上させることができる。
【００３１】
光源モジュール４０の発光面側には、ねじ２１で反射板２３を取り付けてある。反射板２３は、ＬＥＤモジュール４２、４３が配置された位置に対応する箇所に、ＬＥＤモジュール４２、４３の寸法と略同寸法の挿通穴を設けてあり、該挿通穴にＬＥＤモジュール４２、４３を挿通させた状態で取り付けられるようになっている。なお、反射板２３は必須ではなく省略することもできる。
【００３２】
透光部５０は、乳白色のガラス製であって放熱板２０に接着剤により固定されている。なお、透光部５０は、ガラス製に限定されるものではなく、乳白色のポリカーボネート樹脂などを用いることもできる。なお、透光部５０がポリカーボネート樹脂製である場合には、ネジを切ることにより、放熱板２０に螺合係止することができる。
【００３３】
透光部５０には、ＬＥＤモジュール４２、４３（光源モジュール４０）からの光を拡散させるための光拡散部材５０ａを添加してある。光拡散部材５０ａは、例えば、結晶構造を有し、その光学的性質は、例えば、屈折率が大きく、光吸収能が小さく、光散乱能が高いものであればよい。例えば、蛍光体などの結晶構造を有する顔料を添加することができる。また、光拡散部材５０ａの添加比率は、例えば、数％程度でよい。蛍光体は、例えば、３Ｃａ3 （ＰＯ4 ）2 Ｃａ（Ｆ、Ｃｌ）2 ＳｂＭｎを用いることができる。
【００３４】
これにより、光源として点光源の性質を有するＬＥＤモジュール４２、４３を用いる場合に、ＬＥＤモジュール４２、４３の光の指向性が狭いときでも、ＬＥＤモジュール４２、４３から発せられた光は、透光部５０を透過する際に光拡散部材５０ａで拡散されるので、簡便な構成で配光特性を広くすることができる。なお、光拡散部材５０ａが蛍光体である場合には、光を拡散させるとともに当該光で励起されて発光する材料でもよい。光拡散部材５０ａ自体も発光することにより、配光をより広げることが可能となる。
【００３５】
また、透光部５０は、中空の略半球殻をなすので、ＬＥＤモジュール４２、４３（発光ダイオード）を使用した配光特性の広い電球型の照明装置を提供することができる。
【００３６】
特に、略半球殻の透光部５０の最大径よりも若干縮径した箇所で、透光部５０と放熱板２０とが接合されているので、ＬＥＤモジュール４２、４３から発せられた光が、透光部５０の表面のうち、透光部５０と放熱板２０との接合箇所から最大径までの部分から透過することにより、放熱部１３から口金１０の方へ向かう方向に沿って放射されるので、さらに配光特性を広くすることができる。
【００３７】
図５は本実施の形態の光源モジュール４０の発光面の構造例を示す平面図である。光源モジュール４０は、アルミニウム合金などからなる略円形の基板４１上に色度の異なる光源としてのＬＥＤモジュール４２、４３を交互に環状に適長隔離して配設してある。ＬＥＤモジュール４２は昼白色の光を発することができ、ＬＥＤモジュール４３は電球色の光を発することができる。また、異なる色度のＬＥＤモジュールとしては、昼白色、電球色に限定されるものではなく、白色、昼光色などでもよく、あるいは、赤色、緑色、青色などのＬＥＤモジュールを設けてもよい。なお、異なる色度のＬＥＤモジュールとして、昼白色（略５０００Ｋ）と電球色（略２８００Ｋ）を用いた場合には、ｘｙ色度図で昼白色と電球色を結ぶ直線が黒体軌跡と近似できるので、より正確に黒体軌跡上の色度に沿った調色が可能となり、特に住宅用照明装置として好ましい。
【００３８】
図５の例では、ＬＥＤモジュール４２、４３をそれぞれ３個用いる構成であるが、ＬＥＤモジュール４２、４３の数や配置は、図５の例に限定されるものではなく、照明装置の仕様や用途に応じて、個数を変更することや、配置を略矩形状にするなど適宜行うことができる。なお、基板４１は、セラミックなどであってもよい。
【００３９】
図６は本実施の形態の電源部３０の構成を示すブロック図である。電源部３０は、商用電源などから侵入してくるノイズを除去するためのノイズフィルタ回路３１、位相制御された交流電圧を整流して直流電圧に変換する整流回路３２、位相制御された交流電圧の導通角θを検出する導通角検出回路３３、整流回路３２から出力された直流電圧を所要の直流電圧に変換するＤＣ／ＤＣコンバータ３４、位相制御された交流電圧の導通角θに応じてＬＥＤモジュール４２、４３毎に異なるタイミングで点灯制御する制御部としての制御回路３５、各ＬＥＤモジュール４２、４３に流れる電流をオンオフするためのトランジスタ３６、３７、整流回路３２で整流された電圧を平滑する平滑コンデンサ３４１、ＤＣ／ＤＣコンバータ３４の出力に含まれるリップルなどを除去するための平滑コンデンサ３４２などを備える。
【００４０】
導通角検出回路３３は、抵抗３３１、コンデンサ３３２、ダイオード３３３、フォトカップラ３３４、抵抗３３５などを備える。整流回路３２の出力の正側に抵抗３３１及びコンデンサ３３２の直列回路が接続され、コンデンサ３３２の両端には、フォトカップラ３３４のフォトダイオードが接続してある。また、整流回路３２の出力の正側にはダイオード３３３のアノードが接続され、ダイオード３３３のカソードはＤＣ／ＤＣコンバータ３４の入力端に接続してある。ＤＣ／ＤＣコンバータ３４の出力端に抵抗３３５の一端を接続してあり、抵抗３３５の他端にはフォトカップラ３３４のフォトトランジスタのコレクタを接続している。また、フォトカップラ３３４のフォトトランジスタのコレクタは、制御回路３５に接続してある。なお、導通角検出回路３３の構成は一例であって、図６の例に限定されるものではない。また、トランジスタ３６、３７、３３４は、ＦＥＴであってもよい。
【００４１】
入力電圧が位相制御されている場合、調光器２００のトライアックやサイリスタがオフしている期間の入力電圧はゼロであるから、フォトカップラ３３４のフォトトランジスタがオフとなり、制御回路３５には電圧が入力される。
【００４２】
一方、調光器２００のトライアックやサイリスタがオンしている期間では、入力電圧が印加され、抵抗３３１を介してフォトカップラ３３４のフォトダイオードに電流が流れるため、フォトカップラ３３４のフォトトランジスタはオンする。これにより、制御回路３５には電圧が入力されない。
【００４３】
制御回路３５は、上述の入力される電圧の有無に応じて、交流電圧の有無を検出することができ、導通角θを特定することができる。なお、制御回路３５にゼロクロス回路を設けてもよい。ゼロクロス回路により、交流電圧がゼロになるタイミングを検出することができ、制御信号を生成する際の基準として用いることができる。
【００４４】
制御回路３５は、位相制御された交流電圧の導通角θに応じて、ＬＥＤモジュール４２、４３をそれぞれ異なるタイミングで点灯制御する。例えば、位相制御された交流電圧が存在する時間に対応させてＬＥＤモジュール４２を点灯させ、位相制御された交流電圧が存在しない（ゼロ）時間に対応させてＬＥＤモジュール４３を点灯させることができる。これにより、調光器２００を操作することにより調光器２００から出力される位相制御された交流電圧の導通角θに応じて色度の異なるＬＥＤの点灯タイミングを変えることができ、利用者の好みに応じて調色をすることができる。なお、色度の異なるＬＥＤの種類は２つに限定されない。
【００４５】
また、制御回路３５は、導通角θに応じて時間長が長くなる制御信号Ｓ１及び時間長が短くなる制御信号Ｓ２を生成する信号生成部としての機能を有する。制御信号Ｓ１、Ｓ２の生成は、例えば、タイミング回路などを備えることで実現することができる。制御信号Ｓ１によりトランジスタ３６をオンさせ、制御信号Ｓ２によりトランジスタ３７をオンさせる。これにより、導通角θが大きくなるに応じて、ＬＥＤモジュール４２の点灯時間を短くするとともに、ＬＥＤモジュール４３の点灯時間を長くすることができる。これにより、調光器を操作することにより調光器から出力される位相制御された交流電圧の導通角θに応じて色度の異なるＬＥＤの点灯時間を変えることができ、利用者の好みに応じて調色をすることができる。なお、色度の異なるＬＥＤの種類は２つに限定されない。
【００４６】
また、制御回路３５は、導通角に応じた時間長の第１の制御信号を生成する第１の信号生成部と、第１の制御信号と時間長を相補する第２の制御信号を生成する第２の信号生成部としての機能を有する。制御回路３５は、第１の制御信号としての制御信号Ｓ１に基づいて一の色度の光源であるＬＥＤモジュール４２を点灯制御し、第２の制御信号としての制御信号Ｓ２に基づいてＬＥＤモジュール４３を点灯制御する。これにより、照明装置からの光を調光することができる。
【００４７】
また、制御回路３５は、導通角に応じた時間長の第１の制御信号を生成する第１の信号生成部と、第１の制御信号と異なるタイミングで点灯制御するための第２の制御信号を生成する第２の信号生成部としての機能を有する。第２の制御信号は、例えば、第１の制御信号を反転させた反転制御信号である。制御回路３５は、導通角θに応じた時間長の制御信号Ｓ１を生成するとともに、制御信号Ｓ１を反転させた反転させた制御信号Ｓ２を生成する。制御回路３５は、制御信号Ｓ１に基づいてＬＥＤモジュール４２を点灯制御し、反転させた制御信号Ｓ２に基づいてＬＥＤモジュール４３を点灯制御する。これにより、例えば、交流電圧の半周期に亘って、一方のＬＥＤが点灯している間は他方のＬＥＤを消灯させつつ、色度の異なるＬＥＤの点灯時間を導通角θに応じて変更することができ、明るさを一様にしつつ調光することができる。
【００４８】
図７及び図８は本実施の形態の照明装置１００の調色の一例を示すタイムチャートである。図７と図８の違いは、図７の例に比べて図８の例では位相制御された交流電圧の導通角θが小さくなっている点である。図７に示すように、位相制御された交流電圧の立ち上がり時点で導通角θに相当する時間長の制御信号Ｓ１が生成される。また、制御信号Ｓ１を反転させた制御信号Ｓ２が生成される。すなわち、交流電圧の半周期に亘って、制御信号Ｓ１が生成される時間と反転した制御信号Ｓ２が生成される時間が画定される。また、図７に示すように、導通角θが比較的大きい場合、制御信号Ｓ２の時間長に比べて制御信号Ｓ１の時間長が長くなるので、ＬＥＤモジュール４２の点灯時間がＬＥＤモジュール４３の点灯時間よりも長くなる。
【００４９】
一方、図８に示すように、導通角θが図７の場合よりも小さくなると、制御信号Ｓ１の時間長が短くなり、制御信号Ｓ２の時間長が長くなる。これにより、導通角θが小さくなると、ＬＥＤモジュール４２の点灯時間が短くなり、ＬＥＤモジュール４３の点灯時間は長くなる。これにより、調光器２００を操作して導通角θを調整することにより、所望の発光色を得ることができる。
【００５０】
なお、図７及び図８の例で、位相制御された交流電圧の波形が徐々に小さくなってゼロになった時点まで制御信号Ｓ１が存在しているが、交流電圧を整流した電圧でコンデンサを充電しておくことで、交流電圧がゼロ近傍になった場合でも、コンデンサに充電された電圧を利用して制御信号Ｓ１を生成することができる。
【００５１】
図９はＬＥＤモジュール４２、４３の点灯タイミングの一例を示すタイムチャートである。上述の図７及び図８の例では、交流電圧の半周期に亘って、ＬＥＤモジュール４２が点灯している間はＬＥＤモジュール４３を消灯させ、ＬＥＤモジュール４３が点灯している間はＬＥＤモジュール４２を消灯させるように点灯タイミングを設定していたが、これに限定されるものではない。図９に示すように、両方のＬＥＤモジュール４２、４３のいずれも点灯していない時間が存在してもよい。すなわち、制御信号Ｓ１と制御信号Ｓ２とは異なるタイミングでＬＥＤモジュール４２、４３を点灯制御すべく生成される。この場合、制御信号Ｓ１と制御信号Ｓ２は、お互いにゼロになる時間が存在する。なお、いずれのＬＥＤモジュール４２、４３も点灯していない時間が短い場合には、明るさのちらつきは無視できる程度のものとなる。
【００５２】
図１０はＬＥＤモジュール４２、４３の点灯タイミングの他の例を示すタイムチャートである。図１０に示すように、両方のＬＥＤモジュール４２、４３がいずれも点灯している時間が存在してもよい。すなわち、制御信号Ｓ１と制御信号Ｓ２とは異なるタイミングでＬＥＤモジュール４２、４３を点灯制御すべく生成される。この場合、制御信号Ｓ１と制御信号Ｓ２は、お互いに重なる時間が存在する。なお、いずれのＬＥＤモジュール４２、４３も点灯している時間が短い場合には、明るさのちらつきは無視できる程度のものとなる。
【００５３】
実施の形態２
制御信号Ｓ１、Ｓ２の生成は、タイミング回路を備える構成に代えて、制御回路３５にメモリなどの記憶部を設け、導通角に対応させて複数の時間パラメータを記憶しておくようにしてもよい。実施の形態２は、複数の時間パラメータを記憶したメモリを利用する場合である。
【００５４】
図１１は実施の形態２の時間パラメータの一例を示す説明図である。図１１に示すように、導通角θに対応させて制御信号Ｓ１の時間パラメータ、制御信号Ｓ２の時間パラメータを記憶してある。例えば、導通角θが１７１度〜１８０度の場合、制御信号Ｓ１の時間パラメータを１０ｍｓｅｃ、制御信号Ｓ２の時間パラメータを０ｍｓｅｃとしている。この場合には、ＬＥＤモジュール４２のみが連続して点灯する。なお、制御信号Ｓ１の時間長と制御信号Ｓ２の時間長との合計は、１０ｍｓｅｃである。
【００５５】
また、例えば、導通角θが１４１度〜１５０度の場合、制御信号Ｓ１の時間パラメータを７ｍｓｅｃ、制御信号Ｓ２の時間パラメータを３ｍｓｅｃとしている。制御回路３５は、生成した各制御信号Ｓ１、Ｓ２に基づいて、ＬＥＤモジュール４２、４３毎に点灯制御する。これにより、調光器２００を操作することにより調光器２００から出力される位相制御された交流電圧の導通角θに応じて色度の異なるＬＥＤの点灯時間を変えることができ、利用者の好みに応じて調色をすることができる。
【００５６】
実施の形態３
上述の実施の形態１では、２種類のＬＥＤモジュール４２、４３を用いる構成であったが、これに限定されるものではなく、色度の異なるＬＥＤモジュールは３つ以上であってもよい。実施の形態３は、色度の異なるＬＥＤモジュールは３つ以上ある場合である。
【００５７】
図１２は実施の形態３の電源部３０の要部構成を示すブロック図である。図６に示す例との相違点は、ＬＥＤモジュール４２、４３とは色度の異なるＬＥＤモジュール４４、ＬＥＤモジュール４４に流れる電流をオンオフするトランジスタ３８を備え、制御回路３５は、制御信号Ｓ１、Ｓ２の他に制御信号Ｓ３を生成して出力する。ＬＥＤモジュール４４は、昼光色、白色でもよく、他の色でもよい。
【００５８】
図１３は実施の形態３の時間パラメータの一例を示す説明図である。図１３に示すように、導通角θに対応させて制御信号Ｓ１の時間パラメータ、制御信号Ｓ２の時間パラメータ、及び制御信号Ｓ３の時間パラメータを記憶してある。例えば、導通角θが１７１度〜１８０度の場合、制御信号Ｓ１の時間パラメータを１０ｍｓｅｃ、制御信号Ｓ２、Ｓ３の時間パラメータを０ｍｓｅｃとしている。この場合には、ＬＥＤモジュール４２のみが連続して点灯する。なお、制御信号Ｓ１、Ｓ２及びＳ３の時間長の合計は、１０ｍｓｅｃである。
【００５９】
また、例えば、導通角θが１３１度〜１４０度の場合、制御信号Ｓ１の時間パラメータを６ｍｓｅｃとし、制御信号Ｓ２、Ｓ３の時間パラメータを４ｍｓｅｃとする。制御回路３５は、生成した各制御信号Ｓ１、Ｓ２、Ｓ３に基づいて、ＬＥＤモジュール４２、４３、４４毎に点灯制御する。これにより、調光器２００を操作することにより調光器２００から出力される位相制御された交流電圧の導通角θに応じて色度の異なるＬＥＤの点灯時間を変えることができ、利用者の好みに応じて調色をすることができる。
【００６０】
なお、制御回路３５は、時間パラメータを記憶する構成に代えて、タイミング回路を備える構成でもよい。
【００６１】
実施の形態４
上述の実施の形態２、３では、導通角θに対応させて制御信号Ｓ１、Ｓ２の時間パラメータを規定するものであったが、これに限定されるものではない。例えば、ＰＷＭ制御におけるオン時間（デューティ比）を時間パラメータとして規定することもできる。
【００６２】
また、所定の導通角（例えば、７０度）以下では、ＬＥＤモジュールに対して十分な電源電圧を確保することができない場合もあるので、例えば、導通角が７０度以下の場合、各制御信号の時間パラメータを０ｍｓｅｃとして、ＬＥＤモジュールに電流を供給せずに消灯させるようにしてもよい。
【００６３】
また、導通角のすべての範囲（０度〜１８０度）を用いる必要はなく、一定の範囲（例えば、７０度〜１８０度）を用いて、複数色（２色の場合には、例えば、昼白色と電球色）の範囲でリニアに調色制御をすることができる。
【００６４】
上述の実施の形態では、電球型の照明装置について説明したが、照明装置の形状は電球型に限定されるものでなく、他の形状であってよい。また、光源としてＬＥＤモジュールを備える照明装置について説明したが、光源はＬＥＤモジュールに限定されるものではなく、有機ＥＬなど他の光源でもよい。
【符号の説明】
【００６５】
３０  電源部
３３  導通角検出回路（検出部）
３４  ＤＣ／ＤＣコンバータ
３５  制御回路（制御部、信号生成部、記憶部）
３６、３７、３８  トランジスタ
４２、４３、４４  ＬＥＤモジュール（光源）
１００  照明装置
２００  調光器
【図１】
2011108597.tif 000003
【図２】
2011108597.tif 000004
【図３】
2011108597.tif 000005
【図４】
2011108597.tif 000006
【図５】
2011108597.tif 000007
【図６】
2011108597.tif 000008
【図７】
2011108597.tif 000009
【図８】
2011108597.tif 000010
【図９】
2011108597.tif 000011
【図１０】
2011108597.tif 000012
【図１１】
2011108597.tif 000013
【図１２】
2011108597.tif 000014
【図１３】
2011108597.tif 000015